【事件の表示】
　平成１０年特許願第２６１７７４号「イメージセンサ及び画像読取装置」拒絶査定に対する審判事件［平成１２年　３月３１日出願公開、特開２０００−　９２２９２］について、次のとおり審決する。
【結　論】
　本件審判の請求は、成り立たない。
【理　由】
１．手続の経緯
　本願は、平成１０年９月１６日の出願であって、原審審査官がした拒絶理由の通知に対して平成１２年９月２９日付で手続補正がされ、平成１２年１１月７日付で拒絶査定がされ、これに対して、平成１２年１２月２１日付で審判請求及び手続補正がされた後、当審がした拒絶理由の通知に対して平成１５年３月３１日付で手続補正がされたものである。
　
２．本願発明
　本願の請求項１に係る発明（以下、「本願発明１」という。）は、前記平成１５年３月３１日付手続補正書により補正された明細書及び図面の記載からみて、その特許請求の範囲の請求項１に記載された次のとおりのものである。
「【請求項１】
　同一の受光面積を有する受光素子が一次元方向に連続して形成された受光素子群を１組とし該組を複数組み前記一次元方向に連続して形成された１列の受光素子アレイが単一の基板上に互いに平行に複数列形成された受光素子アレイ群であって、前記複数の受光素子アレイを形成する受光素子は各々異なった受光面積を有する受光素子からなり、受光面積の小さい受光素子を有する組に含まれる受光素子数が受光面積の大きい受光素子を有する組に含まれる受光素子数よりも多い事を特徴とするイメージセンサであって、
　前記複数個の各受光素子を所定のタイミングに従って、順次選択して駆動させる、シフトレジスタを含む駆動回路と前記複数種の受光素子アレイ群の中から所定の受光素子アレイを選択する為の受光素子アレイ選択制御手段、前記駆動回路と前記受光素子アレイ選択制御手段の出力から、個々の受光素子を選択する為の受光素子選択信号を出力するデコーダ回路及び当該デコーダ回路の出力に応答して当該受光素子を選択的に駆動する画素スイッチ手段とから構成されている制御手段を含み、選択された解像度に応答して、何れかの前記受光素子アレイが選択的に駆動される様に構成されている事を特徴とするイメージセンサ。」
　
３．引用例
（１）引用例１
　これに対して、当審で引用した特開平２−４４９５９号公報（以下、「引用例１」という。）には、図面とともに以下の各記載がある。
　ア．「主走査方向に複数ラインに亘って複数の感光素子がそれぞれ配列されてなる受光部と、この受光部の上記主走査方向の複数ラインにおいて複数個の感光素子を同時に動作させて各感光素子の情報をそれぞれ順次取り出す処理部とを備えた読取装置。」（第１頁下左欄第９〜１４行、特許請求の範囲（２））
　イ．「複数ライン上の各感光素子は、ライン毎に異なる解像度の感光素子より構成されて成ることを特徴とする特許請求の範囲第２項記載の読取装置。」（第１頁下左欄第１８行〜同頁下右欄第１行、特許請求の範囲（４））
　ウ．「【産業上の利用分野】
　この発明は、複数の感光素子から成る受光部により情報を光学的に読取る密着形イメージセンサ等の読取装置に関し、特に主走査方向、或いはまた副走査方向に上記感光素子を複数、直線的に配列して構成される受光部を備えた読取装置に関するものである。」（第１頁下右欄第３〜９行）
　エ．「この発明の第４の請求項に係る発明の読取装置は、主走査方向，複数ラインに亘ってライン毎に異なる解像度のものにより成る複数の感光素子が情報を処理部の制御下で読取られ、これにより１台の読取装置により異なる解像度による読取りが自由に行えると共に、その演算処理も簡単になる。」（第３頁上右欄第１６行〜同頁下左欄第１行）
　オ．「次に第４図につきこの発明の第４の請求項の発明に係る読取装置の実施例を説明する。図において、Ｅは、例えば４００ＤＰＩ（ドット／インチ）で配列された感光素子３０−１，３０−２，・・・，３０−ｍから成る感光素子列、Ｆは例えば３００ＤＰＩで配列された感光素子３１−１，３１−２，・・・，３１−ｍから成る感光素子列、３２−１，３２−２，・・・，３２−ｍ及び３３−１，３３−２，・・・，３３−ｍはシフトレジスタ１６の出力信号Ｑ１，Ｑ２，・・・，Ｑｍにより開閉されるアナログスイッチ、３５は上記感光素子列Ｅ，Ｆからの光電流をＡ／Ｄ変換等して処理する信号処理回路、３４はこの回路３５に入力する制御信号の入力端子である。」（第５頁下左欄第１２行〜同頁下右欄第４行）
　カ．「次に動作を説明する。シフトレジスタ１６からの出力信号Ｑ１，Ｑ２，・・・，Ｑｍが順次アナログスイッチ３２−１，３２−２，・・・，３２−ｍおよび３３−１，３３−２，・・・，３３−ｍを開閉すると、感光素子列Ｅ，Ｆの各感光素子が同時に２個づつ動作し、光電流が信号出力端子１７，１８へ出力し、信号処理回路３５に供給される。茲で、感光素子列Ｅは４００ＤＰＩの解像度、感光素子列Ｆは３００ＤＰＩの解像度の各感光素子から成り、これら感光素子列Ｅ，Ｆを同一ＩＣセンサチップまたはセンサ基板上に設けてあるから、上記信号出力端子１７からは４００ＤＰＩの解像度による読取り信号（光電流）が出力し、信号出力端子１８からは３００ＤＰＩの異なる解像度による読取り信号（光電流）が出力することになる。」（第５頁下右欄第７行〜第６頁上左欄第１行）
　キ．各感光素子列Ｅ，Ｆは、それぞれ同一の感光面積を有する感光素子が一次元方向に連続して形成されたものである。（第４図）
　ク．感光素子列Ｅを形成する感光素子と、感光素子列Ｆを形成する感光素子とは、各々異なった感光面積を有する。（第４図）
　これらの記載からみて、引用例１には、
「同一の感光面積を有する感光素子が一次元方向に連続して形成された１列の感光素子列が単一の基板上に互いに平行に複数列形成された感光素子列群であって、前記複数の感光素子列を形成する感光素子は各々異なった感光面積を有する感光素子からなる読取装置であって、
　前記複数個の各感光素子を所定のタイミングに従って、順次選択して駆動させる、シフトレジスタを含む駆動回路と、当該駆動回路の出力に応答して前記感光素子を選択的に駆動するアナログスイッチとから構成されている制御手段と、選択された解像度に応答して、複数種の受光素子アレイ群における受光素子から順次同時に読出された読取り信号が信号処理回路にて選択的に出力されるように構成されている読取装置。」の発明（以下、「引用例１記載の発明」という。）が記載されている。
　
（２）引用例２　
　また同じく、当審で引用した特開平３−１４３１６０号公報（以下、「引用例２」という。）には、図面とともに以下の各記載がある。
　ア．「イメージセンサ等の駆動回路に於いて、シフトレジスタとＡＮＤ回路又はＮＡＮＤ回路とラッチとから構成され、前記センサを前記シフトレジスタとＤラッチとで制御される前記アナログスイッチで充電し、その時の充電電流をビデオセンサとして取り出すセンサ駆動回路において、前記Ｄラッチの一部を切断するか否かで、ある画素密度とその倍の画素密度を選択して前記センサを駆動できるようにしたことを特徴とするセンサ駆動回路。」（第１頁下左欄第５〜１４行、特許請求の範囲１）
　イ．「第１図は、本発明による駆動回路の一実施例を説明するための図で、図中、１はシフトレジスタ、２はアナログスイッチ、３はセンサ、４はＡＮＤ又はＮＡＮＤ回路で、第４図に示した従来技術と同様、ビット分割されたフォトダイオード形のセンサをＭＯＳＴｒからなるアナログスイッチで充電し、その時の充電電流をビデオ信号としてとり出す方式のセンサで、」（第２頁上左欄第１９行〜同頁上右欄第６行）
　ウ．「第２図は、第１図に示した回路の動作説明をするためのタイミングチャートで、第１図において、シフトレジスタ１段からの出力Ｑ１は、２個のＡＮＤ回路Ａ、Ｂに入力される。ＡＮＤ回路ＡはＱ１とＤラッチの出力Ｑが入力信号で、出力Ｑ２が奇数ビット目
の
　これらの記載からみて、引用例２には、
「複数個のビット分割された各センサを所定のタイミングに従って、順次選択して駆動させる、シフトレジスタを含む駆動回路と、所定のセンサ群を選択する為のＤラッチと、前記駆動回路と前記Ｄラッチの出力から、個々のセンサを選択する為の信号を出力するＡＮＤ又はＮＡＮＤ回路、及び当該ＡＮＤ又はＮＡＮＤ回路の出力に応答して当該センサを選択的に駆動するアナログスイッチとから構成されているイメージセンサの駆動回路。」が記載されている。
　
４．対比
　そこで、本願発明１と引用例１記載の発明とを対比すると、
　引用例１記載の発明の「感光面積」、「感光素子」、「感光素子列」、「アナログスイッチ」は、それぞれ本願発明１の「受光面積」、「受光素子」、「受光素子アレイ」、「画素スイッチ手段」に相当するものであるから、両者は、
「同一の受光面積を有する受光素子が一次元方向に連続して形成された１列の受光素子アレイが単一の基板上に互いに平行に複数列形成された受光素子アレイ群であって、前記複数の受光素子アレイを形成する受光素子は各々異なった受光面積を有する受光素子からなるイメージセンサであって、
　前記複数個の各受光素子を所定のタイミングに従って、順次選択して駆動させる、シフトレジスタを含む駆動回路と、前記受光素子を選択的に駆動する画素スイッチ手段とを含む制御手段と、選択された解像度に応答して、何れかの前記受光素子アレイからの読取り信号が選択的に出力されるように構成されている事を特徴とするイメージセンサ。」
である点で一致し、次の点で相違しているものと認められる。
（相違点１）
　１列の受光素子アレイについて、本願発明１では受光素子群を１組とし該組を複数組み一次元方向に連続して形成してなるものであるのに対して、引用例１記載の発明ではそのことが明らかでない点。
（相違点２）
　本願発明１では受光面積の小さい受光素子を有する組（正確には、受光素子アレイを意味するものと解される。）に含まれる受光素子数が受光面積の大きい受光素子を有する組（正確には、受光素子アレイ）に含まれる受光素子数よりも多いのに対して、引用例１記載の発明ではそのことが明示していない点。
（相違点３）
　選択された解像度に応答して、何れかの受光素子アレイからの読取り信号を選択的に出力させるために、本願発明１ではシフトレジスタを含む駆動回路と画素スイッチ手段との間に、複数種の受光素子アレイ群の中から所定の受光素子アレイを選択する為の受光素子アレイ選択手段、前記駆動回路と前記受光素子アレイ選択手段の出力から、個々の受光素子を選択する為の受光素子選択信号を出力するデコーダ回路とを設け、必要とする受光素子を選択的に駆動するのに対して、引用例１記載の発明では駆動回路と画素スイッチ手段の間に受光素子アレイ選択手段やデコーダ回路は設けられておらず、複数種の受光素子アレイ群における受光素子から順次同時に読み出された読取り信号を信号処理回路にて選択的に出力するものである点。
　
５．当審の判断
　上記相違点について検討すると、
（相違点１）について
　本願の明細書及び図面を参照しても、本願発明１で言うところの「組」が如何なる受光素子群からなるものであるのか何ら記載されておらず今一つ不明であるが、例えば画像の読取りをカラーで行う場合に、Ｒ、Ｇ、Ｂを各々受光する受光素子群を１組として、これを複数組み一次元方向に連続して形成することにより１列の受光素子アレイを構成することが周知の事項（必要であれば、例えば当審で引用した特開昭６４−９０６６４号公報を参照）であるから、このような組を考えると、引用例１記載の発明において、１列の受光素子アレイをＲ、Ｇ、Ｂを各々受光する受光素子群などを１組として、これを複数組み一次元方向に連続して形成する構成とすることは当業者が適宜になし得ることである。
（相違点２）について
　１つの装置中に複数の受光素子アレイを並列的に設けた場合、各受光素子アレイの主走査方向の長さは同じ長さに揃えられるのが通常であり、引用例１記載の発明においても受光面積の小さい受光素子を有する受光素子アレイと、受光面積の大きい受光素子を有する受光素子アレイとの主走査方向の長さを等しくする（なお、引用例１の第４図でも、両受光素子アレイの主走査方向の長さは同じであるように見て取れる）ことにより、必然的に、受光面積の小さい受光素子を有する受光素子アレイに含まれる受光素子数が受光面積の大きい受光素子を有する受光素子アレイに含まれる受光素子数よりも多い構成とすることは当業者が普通になし得ることである（さらに必要であれば、例えば当審で引用した実開昭６２−１１２２５０号公報の第３図を参照されたい）。
（相違点３）について
　何れかの受光素子からの読取り信号を選択的に出力させる場合に、受光素子から読取り信号が順次読み出された後に、必要とする読取り信号を所定の回路にて選択的に出力させるように構成することも、あるいは、受光素子を所定の回路にて選択的に駆動して必要とする読取り信号のみ出力させるように構成することも周知のものである。そして、後者の例として、引用例２には、シフトレジスタを含む駆動回路とアナログスイッチとの間に、所定のセンサ群を選択する為のＤラッチからなるセンサ群選択手段と、前記駆動回路と前記センサ群選択手段の出力から、個々のセンサを選択する為の信号を出力するＡＮＤ又はＮＡＮＤ回路からなるデコーダ回路とを設けることが記載されているところであり、引用例１記載の発明において、複数種の受光素子アレイ群における受光素子から順次同時に読み出された読取り信号を信号処理回路にて選択的に出力する構成に代えて、シフトレジスタを含む駆動回路と画素スイッチ手段との間に、複数種の受光素子アレイ群の中から所定の受光素子アレイを選択する為の受光素子アレイ選択手段、前記駆動回路と前記受光素子アレイ選択手段の出力から、個々の受光素子を選択する為の受光素子選択信号を出力するデコーダ回路とを設け、何れかの受光素子を選択的に駆動するように構成することは当業者であれば容易になし得ることと認められる。
　
６．むすび
　以上のとおり、本願発明１は、引用例１、引用例２及び周知の事項に基づいて当業者が容易に発明をすることができたものであるから、特許法第２９条第２項の規定により特許を受けることができない。
　よって、結論のとおり審決する。